(57)【要約】【課題】排水中のセレンを簡便に除去でき、凝集剤の使用量を増やすことなく、セレンの濃度を排水基準値未満に処理できる排水処理方法の提供。【解決手段】セレンを含有する排水の処理方法であって、６価のセレンを４価のセレンに還元する微生物を用いて、前記排水を処理する生物処理工程と、前記生物処理工程で得られる生物処理水を、４価のセレンを溶解する溶解液と、前記微生物とに、分離膜を用いて分離する分離工程と、前記溶解液と、凝集剤とを混合して、前記溶解液から前記４価のセレンを析出させて沈殿除去する凝集沈殿工程と、を有する、排水処理方法。【選択図】なし【特許請求の範囲】
【請求項１】
セレンを含有する排水の処理方法であって、
６価のセレンを４価のセレンに還元する微生物を用いて、前記排水を処理する生物処理工程と、
前記生物処理工程で得られる生物処理水を、４価のセレンを溶解する溶解液と、前記微生物とに、分離膜を用いて分離する分離工程と、
前記溶解液と、凝集剤とを混合して、前記溶解液から前記４価のセレンを析出させて沈殿除去する凝集沈殿工程と、
を有する、排水処理方法。
【請求項２】
前記微生物が嫌気性細菌である、請求項１に記載の排水処理方法。
【請求項３】
前記分離膜の下方から、嫌気性ガスを散気しながら前記分離工程を行う、請求項１又は２に記載の排水処理方法。
【請求項４】
前記嫌気性ガスを回収し、回収した嫌気性ガスを再利用する、請求項１〜３のいずれか一項に記載の排水処理方法。
【請求項５】
前記分離工程が、分離膜を用いて分離を行う運転ステップと、前記分離膜による分離を停止する停止ステップと、を含み、
前記停止ステップで、前記分離膜を前記溶解液で逆洗する、請求項１〜４のいずれか一項に記載の排水処理方法。
【発明の詳細な説明】
【技術分野】
【０００１】
本発明は、排水処理方法に関する。
【背景技術】
【０００２】
石炭火力発電所等の石炭を利用する工業施設の排水は、排水基準値より高濃度のセレンを含有することがある。そこで、石炭火力発電所等では、セレンを含有する排水から、セレンを除去する処理が行われている。
セレンを含有する排水を処理する方法として、微生物等を用いた生物処理と、凝集剤等を用いた凝集沈殿処理とを組み合わせた方法が知られている（特許文献１，２）。
【０００３】
特許文献１，２に記載の処理方法では、凝集沈殿処理の前に生物処理が行われている。生物処理では、排水中の６価のセレン（セレン酸、及びセレン酸イオン等）、及び４価のセレン（亜セレン酸、及び亜セレン酸イオン等）を、主に０価のセレン（金属セレン等）に還元し、金属セレンとして析出し、沈殿させている。
【０００４】
特許文献１，２に記載の処理方法では、上記の生物処理後の処理水に、生物処理で析出しなかったセレンが残存している。そのため、特許文献１，２に記載の処理方法では、処理水中に残存したセレンを除去するために、凝集沈殿処理で再びセレンを析出させている。このように、特許文献１，２に記載の処理方法では、生物処理と凝集沈殿処理とを組み合わせることにより、凝集沈殿処理で使用する凝集剤等の使用量を抑えながら、排水中のセレンの濃度を排水基準値未満に処理している。
【先行技術文献】
【特許文献】
【０００５】
【特許文献１】特開平９−３０８８９５号公報
【特許文献２】特開平１０−３０９１９０号公報
【発明の概要】
【発明が解決しようとする課題】
【０００６】
しかしながら、特許文献１，２に記載の処理方法にあっては、生物処理と、凝集沈殿処理との、それぞれの処理で金属セレンを析出させているため、生物処理を行う処理槽と、凝集沈殿処理を行う処理槽とのそれぞれに、金属セレンを含有する沈殿物、又は汚泥等が発生する。
【０００７】
金属セレンを含有する沈殿物等は、それぞれの処理槽から取り出され、脱水等の処理が施された後、廃棄される。ところが、それぞれの処理槽の沈殿物は、化学的組成、及び含水率等の性状において、互いに異なることが一般的である。よって、それぞれの処理槽の沈殿物等を別々の工程で処理し、廃棄する必要が生じる。このように、特許文献１，２に記載の処理方法は、簡便で効率的な処理方法とは言い難い。
【０００８】
また、石炭火力発電所等では、コストの観点から、安価で、比較的低品位の石炭の使用を求められることがある。ところが、安価な石炭を使用した場合、排水中のセレンの含有量が多くなる傾向がある。この場合、特許文献１，２に記載の方法で排水を処理すると、生物処理、及び凝集沈殿処理の各処理で析出するセレンの量が増加し、沈殿物等を廃棄する処理がさらに煩雑になる。また、排水中のセレンの含有量の増加に伴い、凝集剤の使用量が多くなり、凝集剤の使用コストが増加する。
【０００９】
このように、特許文献１，２に記載の方法では、排水中のセレンの含有量が多くなると、処理効率が著しく低下し、処理コストが増加すると予想される。即ち、特許文献１，２に記載の方法では、セレンの含有量が多い排水を効率的に処理できない。
【００１０】
本発明は上記背景に鑑みてなされたものであり、排水中のセレンを簡便に除去でき、凝集剤の使用量を増やすことなく、セレンの濃度を排水基準値未満に処理できる排水処理方法の提供を課題とする。
【課題を解決するための手段】
【００１１】
本発明は以下の態様を有する。
［１］  セレンを含有する排水の処理方法であって、６価のセレンを４価のセレンに還元する微生物を用いて、前記排水を処理する生物処理工程と、前記生物処理工程で得られる生物処理水を、４価のセレンを溶解する溶解液と、前記微生物とに、分離膜を用いて分離する分離工程と、前記溶解液と、凝集剤とを混合して、前記溶解液から前記４価のセレンを析出させて沈殿除去する凝集沈殿工程と、を有する、排水処理方法。
［２］  前記微生物が嫌気性細菌である、［１］の排水処理方法。
［３］  前記分離膜の下方から、嫌気性ガスを散気しながら前記分離工程を行う、［１］又は［２］の排水処理方法。
［４］  前記嫌気性ガスを回収し、回収した嫌気性ガスを再利用する、［１］〜［３］のいずれかの排水処理方法。
［５］  前記分離工程が、分離膜を用いて分離を行う運転ステップと、前記分離膜による分離を停止する停止ステップと、を含み、前記停止ステップで、前記分離膜を前記溶解液で逆洗する、［１］〜［４］のいずれかの排水処理方法。
【発明の効果】
【００１２】
本発明によれば、排水中のセレンを簡便に除去でき、凝集剤の使用量を増やすことなく、セレンの濃度を排水基準値未満に処理できる。
【図面の簡単な説明】
【００１３】
【図１】本発明を適用した一実施形態の排水処理方法を説明するための排水処理システムの概略構成図である。
【図２】実施例の排水処理方法で処理された後の排水中のセレンの濃度の測定結果を示す図である。
【発明を実施するための形態】
【００１４】
以下、本発明の排水処理方法について、実施形態例を示して説明する。ただし、本発明は以下の実施形態に限定されない。
【００１５】
図１は、本発明の一実施形態例である排水処理方法に適用可能な排水処理システム１の概略構成図である。図１に示すように、排水処理システム１は、前処理部２と、生物処理部３と、化学処理部４とを備えている。
【００１６】
排水処理システム１は、セレンを含有する排水を処理するシステムである。セレンを含有する排水は、６価のセレン、４価のセレン、及び０価のセレンからなる群より選ばれる少なくとも一つを含有している。
６価のセレンとしては、セレン酸（Ｈ２ＳｅＯ４）、セレン酸イオン（ＳｅＯ４２−）、及びこれらの塩が例示される。４価のセレンとしては、亜セレン酸（Ｈ２ＳｅＯ３）、及び亜セレン酸イオン（ＳｅＯ３２−）、及びこれらの塩が例示される。０価のセレンとしては、金属セレン等が例示される。
【００１７】
セレンを含有する排水の具体例としては、石炭火力発電所等の石炭を利用する工業施設の脱硫排水、及びスクラバー排水等が例示されるが、特に限定されない。なお、本明細書において、セレンを含有する排水を「排水」と省略して記すことがある。
【００１８】
前処理部２は、原水貯槽１１と、滅菌器２１と、濾過器２３と、ｐＨ調整槽２４と、調整水貯槽２５とを備えている。
原水貯槽１１は、セレンを含有する排水を一時的に貯留する槽である。原水貯槽１１は、流路１２と、流路１３との間に設けられている。流路１２は、工業施設（図示略）から原水貯槽１１に、セレンを含有する排水を供給する流路である。流路１３は、原水貯槽１１から排出された排水を滅菌器２１に供給する流路である。流路１３には、ポンプ１４が設けられている。これにより滅菌器２１に上記排水を供給しやすくなる。
【００１９】
滅菌器２１は、排水中の菌類等の微生物を滅菌できる。滅菌器２１は、流路２２に接続されている。流路２２は、滅菌器２１で滅菌された排水をｐＨ調整槽２４に供給する流路である。
滅菌器２１は、排水中の菌類等の微生物を滅菌できる形態であれば、特に限定されない。滅菌器２１としては、紫外線式、及び酸化剤注入式等の滅菌器が例示される。
【００２０】
濾過器２３は、排水中の不純物を除去できる。濾過器２３は、流路２２に設けられている。これにより流路２２を流れる排水中の不純物が除去される。
濾過器２３は、排水中の不純物を除去できる形態であれば、特に限定されない。
【００２１】
ｐＨ調整槽２４は、排水のｐＨを調整する槽である。ｐＨ調整槽２４は、流路２２に接続されている。これにより、滅菌器２１と、濾過器２３とを経由した排水が、ｐＨ調整槽２４に貯留される。
ｐＨ調整槽２４には、排出口２４ａが設けられている。これにより、ｐＨ調整槽２４から、調整水貯槽２５に、上記排水が排出される。
【００２２】
ｐＨ調整槽２４は、ｐＨ調整剤供給手段２６を有している。ｐＨ調整剤供給手段２６は、ｐＨ調整槽２４にｐＨ調整剤を供給できる形態であれば、特に限定されない。ｐＨ調整剤としては、公知のｐＨ調整剤を用いることができる。ｐＨ調整剤としては、苛性ソーダ、水酸化カリウム等の塩基、又は塩酸、硫酸等の酸が例示される。
【００２３】
調整水貯槽２５は、ｐＨ調整槽２４でｐＨが調整された排水を貯留する槽である。調整水貯槽２５は、ｐＨ調整槽２４と隣接するとともに、ｐＨ調整槽２４の後段に設けられている。これにより、調整水貯槽２５には、ｐＨ調整槽２４でｐＨが調整された排水が貯留される。
【００２４】
調整水貯槽２５は、流路２７に接続されている。流路２７は、調整水貯槽２５から生物処理部３に、排水を供給する流路である。流路２７には、ポンプ２８が設けられている。これにより生物処理部３に排水を供給しやすくなる。
【００２５】
生物処理部３は、生物処理槽３１と、生物処理水貯槽５１とを備えている。
生物処理槽３１は、６価のセレンを４価のセレンに還元する微生物を用いて、セレンを含有する排水を処理する槽である。生物処理槽３１は、流路２７に接続されている。これにより、セレンを含有する排水が、生物処理槽３１に貯留される。
【００２６】
本実施形態においては、生物処理槽３１内に貯留された貯留液に、６価のセレンを４価のセレンに還元する微生物が含まれている。これにより、生物処理槽３１は、セレンを含有する排水中の６価のセレンを４価のセレンに還元する生物処理を行うことができる。
【００２７】
６価のセレンを４価のセレンに還元する微生物は、６価のセレンを４価のセレンに還元する能力を有する形態であれば、特に限定されない。本明細書において、「微生物」とは、主に細菌等の原核生物、並びに、酵母類、及び菌類等の真核生物を含む概念であり、ウイルス等の生体高分子の集合体を含んでもよい概念である。
【００２８】
上記微生物は、本発明の効果を損なわない範囲で、６価のセレン又は４価のセレンを、０価のセレンに還元する能力を有してもよい。ただし、本実施形態においては、上記微生物が、６価のセレンを０価のセレンに還元せずに、６価のセレンを４価のセレンに還元する能力を有していることが好ましく、６価のセレンのみを４価のセレンにのみ還元する能力を有していることがより好ましい。
上記微生物が、６価のセレンを０価のセレンに還元せずに、６価のセレンを４価のセレンに還元する能力、又は６価のセレンのみを４価のセレンにのみ還元する能力を有していると、生物処理槽３１で金属セレンを含有する沈殿物、又は難溶性塩が生じにくくなる。そのため、排水処理システム１の処理効率が低下しにくくなり、排水処理システム１が上記排水を効率的に処理しやすくなる。
【００２９】
６価のセレンを４価のセレンに還元する微生物の好ましい例としては、特開２０１４−１２４１０６号公報の特許請求の範囲の請求項１に記載されている、「タウエラ・エスピー（Ｔｈａｕｅｒａ  ｓｐ．）ＪＰＣＣ  Ｓｅ７−１株（ＮＩＴＥ  Ｐ−１４６５）が属する種に属する微生物（以下、「第１の微生物」とも記す。）」等が例示される。
上記第１の微生物の一例であるタウエラ・エスピー（Ｔｈａｕｅｒａ  ｓｐ．）ＪＰＣＣ  Ｓｅ７−１株（ＮＩＴＥ  Ｐ−１４６５）（以下、「Ｓｅ７−１株」とも記す。）は、嫌気条件下でも良好に生育できる嫌気性細菌である。
【００３０】
上記第１の微生物の一例であるＳｅ７−１株を取得する方法としては、特開２０１４−１２４１０６号公報の明細書の段落００１５，００１６に記載の方法が例示される。また、上記Ｓｅ７−１株を同定する方法としては、特開２０１４−１２４１０６号公報の明細書の段落００１９〜００３２に記載のいずれかの方法が例示される。
【００３１】
上記第１の微生物は、分散菌の形態で、生物処理槽３１内の貯留液に含まれてもよく、活性汚泥の形態で生物処理槽３１内の貯留液に含まれてもよい。
なお、本明細書において、「分散菌」とは、上記第１の微生物の一例であるＳｅ７−１株等の細菌が上記貯留液に分散しているものであって、上記貯留液中で凝集しにくく、生物処理槽３１内で重力沈降しにくいものを意味する。これに対して、「活性汚泥」とは、６価のセレンを４価のセレンに還元する活性を有する汚泥であって、上記貯留液中で凝集体を形成しやすく、生物処理槽３１の内部で重力沈降しやすいものを意味する。
【００３２】
生物処理槽３１は、セレンを含有する排水中の６価のセレンを４価のセレンに還元する処理を行う生物処理装置の一形態例である。排水処理システム１においては、生物処理槽３１が、分離膜モジュール３２と、ヒーター３３と、酸供給手段３４とを有している。
【００３３】
分離膜モジュール３２は、生物処理槽３１内の貯留液を、４価のセレンを溶解する溶解液と、６価のセレンを４価のセレンに還元する微生物と、に分離できる形態であれば、特に限定されない。排水処理システム１において、分離膜モジュール３２は、生物処理槽３１内の貯留液を、上記溶解液と、上記微生物と、に分離する分離手段の一形態例である。
【００３４】
分離膜モジュール３２が備える分離膜の種類としては、精密濾過膜（ＭＦ膜）、又は限外濾過膜（ＵＦ膜）が好ましい。
分離膜の形状としては、中空糸膜、平膜、管状膜、及び袋状膜等が例示される。これらのうち、容積ベースで比較した場合に膜面積の高度集積が可能であることから、中空糸膜が好ましい。
分離膜の材質としては、有機材料（セルロース、ポリオレフィン、ポリスルフォン、ポリビニルアルコール、ポリメチルメタクリレート、ポリフッ化ビニリデン、及びポリ４フッ化エチレン等）、金属（ステンレス等）、無機材料（セラミック等）が例示される。分離膜の材質は、生物処理槽３１内の貯留液、及び上記微生物の性状等に応じて適宜選択される。
分離膜の孔径は、生物処理の目的に応じて適宜選択すればよい。排水処理システム１において、分離膜の孔径は、０．０１〜１．０μｍが好ましい。孔径が０．０１μｍ未満では、膜の抵抗が大きくなりやすい。孔径が１．０μｍを超えると、上記微生物を完全に分離することができないため、処理水（透過水）の水質が悪化するおそれがある。分離膜の孔径は、精密濾過膜、又は限外濾過膜の範囲とされる０．０５〜０．４μｍがより好ましい。
なお、生物処理槽３１は、分離膜モジュール３２を１つ有してもよいし、複数有してもよい。
【００３５】
なお、排水処理システム１においては、分離膜モジュールと、後述する散気管４１とが一体化された分離膜ユニットを用いてもよい。このような分離膜ユニットとしては、特開２０１３−２０２５２４号公報に記載の分離膜ユニット等が例示される。
【００３６】
分離膜モジュール３２は、流路３５に接続されている。流路３５は、生物処理水貯槽５１に、４価のセレンを溶解する溶解液を、生物処理水として供給する流路である。流路３５には、ポンプ３６が設けられている。これにより分離膜モジュール３２における分離が進行しやすくなる。
【００３７】
ヒーター３３は、生物処理槽３１内の貯留液の温度を任意に調整できる形態であれば、特に限定されない。ヒーター３３を有することにより、生物処理槽３１は、上記貯留液の温度を、生物処理を行える範囲に調整できる。このように、ヒーター３３は、生物処理槽３１内の貯留液の温度を調整する温度調整手段の一形態例である。
【００３８】
酸供給手段３４は、生物処理槽３１に酸を供給できる形態であれば、特に限定されない。酸としては、塩酸、乳酸、硝酸、及び硫酸等が例示される。酸供給手段３４を有することにより、生物処理槽３１は、上記貯留液のｐＨを、生物処理を行える範囲に調整できる。
【００３９】
生物処理槽３１には、散気装置４０が設けられている。散気装置４０は、嫌気性ガスを生物処理槽３１内に散気する散気管４１と、散気管４１に嫌気性ガスを供給するガス供給源４２と、散気管４１とガス供給源４２とを接続するガス導入管４３と、生物処理槽３１の頂部とガス導入管４３とを接続するガス循環管４４と、生物処理槽３１の気相のガスを吸引するブロアー４５と、生物処理槽３１の気相からガスを導出するガス排気管４６を備えている。
【００４０】
散気装置４０は、分離膜モジュール３２が備える分離膜の表面に付着した微生物等の不純物を分離膜から除去するために用いられる。また、排水処理システム１においては、散気装置４０が、生物処理槽３１内を嫌気条件に維持するためにも用いられる。
本実施形態においては、生物処理槽３１の頂部が密閉されている。これにより、生物処理槽３１内を嫌気条件に維持できる。
【００４１】
散気管４１は、生物処理槽３１内かつ分離膜モジュール３２の下方に設置されている。散気管４１は、ガス供給源４２から供給される嫌気性ガスを上方に吐出できる形態であれば、特に限定されない。散気管４１としては、穴あきの単管、及びメンブレンタイプのもの等が例示される。
【００４２】
ガス供給源４２は、生物処理槽３１の外部に設置されている。ガス供給源４２は、ガス導入管４３を介して、散気管４１に嫌気性ガスを導入できる形態であれば、特に限定されない。ガス供給源４２としては、ガスボンベ、及びＰＳＡタイプのガス供給源等が例示される。ガス供給源４２に貯蔵される嫌気性ガスとしては、特に限定されないが、窒素ガス等が例示される。
【００４３】
ガス循環管４４は、生物処理槽３１の外部に設置されている。ガス循環管４４には、ブロアー４５が設けられている。これにより、散気装置４０が、生物処理槽３１の気相のガスを、ガス循環管４４を経由させて、ガス導入管４３に導入できる。
【００４４】
散気装置４０は、生物処理槽３１の気相のガスを回収し、回収したガスを再利用するための循環手段として、ガス循環管４４と、ブロアー４５とを備えている。散気装置４０は、上記循環手段を備えることにより、ガス供給源４２から散気管４１に供給した嫌気性ガスを再利用できる。
【００４５】
ガス排気管４６は、生物処理槽３１の頂部に接続されている。これにより、散気装置４０が、ガス排気管４６から、生物処理槽３１の気相のガスを、大気中に放出できる。
散気装置４０は、生物処理槽３１の気相からガスを放出する排気手段として、ガス排気管４６を備えている。散気装置４０は、上記排気手段を備えることにより、生物処理槽３１内で副生的に発生する硫化水素、及びメタン等のガスを大気に放出できる。
【００４６】
生物処理水貯槽５１は、生物処理槽３１で得られる生物処理水を一時的に貯留する槽である。生物処理水貯槽５１は、流路３５に接続されている。これにより、生物処理水が生物処理水貯槽５１に貯留される。
生物処理水貯槽５１には、逆洗流路５４が設けられている。逆洗流路５４は、一端が上記生物処理水に浸漬されており、他端が流路３５に接続されている。逆洗流路５４には、ポンプ５５が設けられている。これにより、生物処理水貯槽５１は、生物処理水貯槽５１に貯留された生物処理水を流路３５に供給できる。ポンプ５５と流路３５との間の逆洗流路５４には、濾過器５６が設けられている。濾過器５６は、逆洗流路５４を流れる生物処理水に、意図せずに混入した不純物を除去できる形態であれば特に限定されない。
【００４７】
生物処理水貯槽５１は、分離膜モジュール３２を生物処理水で逆洗する逆洗手段として、逆洗流路５４と、ポンプ５５と、濾過器５６とを備えている。生物処理水貯槽５１が上記逆洗手段を備えることにより、生物処理水貯槽５１に貯留された生物処理水の一部を、流路３５を経由させ、分離膜モジュール３２の逆洗用に供給できる。
生物処理水貯槽５１は、濾過器５６を備えることにより、分離膜モジュール３２が備える分離膜の内側に、不純物が付着することを防止できる。
【００４８】
生物処理水貯槽５１は、流路５２に接続されている。流路５２は、生物処理水貯槽５１から化学処理部４に、生物処理水を供給する流路である。流路５２には、ポンプ５３が設けられている。これにより化学処理部４に生物処理水を供給しやすくなる。
【００４９】
化学処理部４は、第１の凝集槽６１と、第２の凝集槽６２と、第３の凝集槽６３と、沈殿槽６４と、処理水貯槽７１とを備えている。
第１の凝集槽６１は、４価のセレンを溶解する溶解液（生物処理水）と、凝集剤とを混合する槽である。これにより、化学処理部４は上記４価のセレンを０価のセレンに還元でき、又は金属セレンを含有する難溶性塩を生成できる。
第１の凝集槽６１は、流路５２に接続されている。これにより、第１の凝集槽６１に、生物処理水が貯留される。
第１の凝集槽６１には、排出口６１ａが設けられている。これにより、第１の凝集槽６１内の貯留された液体が、第２の凝集槽６２に排出される。
【００５０】
第１の凝集槽６１は、凝集剤供給手段６５を有している。凝集剤供給手段６５は、第１の凝集槽６１に凝集剤を供給できる形態であれば特に限定されない。凝集剤としては、生物処理水中の４価のセレンを０価の金属セレンに還元できる形態、又は難溶性塩を生成できる形態であれば特に限定されない。
【００５１】
凝集剤の好ましい例としては、Ｆｅ３＋、Ｃｕ２＋、Ｚｎ２＋、Ａｇ＋、Ａｌ３＋、Ｍｇ２＋、Ｃａ２＋、及びＢａ２＋からなる群より選ばれる少なくとも一つのイオンを水溶液中で生成する化合物が好ましい。凝集剤としては、塩化鉄（ＩＩＩ）、硫酸銅、硫酸亜鉛、塩化銀、塩化アルミニウム、硫酸アルミニウム、硫酸マグネシウム、塩化マグネシウム、水酸化マグネシウム、塩化カルシウム、水酸化カルシウム、及び塩化バリウム等が例示される。
【００５２】
第２の凝集槽６２は、第１の凝集槽６１から排出された液体と、ｐＨ調整剤とを混合し、上記液体のｐＨを調整する槽である。
第２の凝集槽６２は、第１の凝集槽６１と隣接するとともに、第１の凝集槽６１の後段に設けられている。これにより、第２の凝集槽６２には、第１の凝集槽６１から排出された液体が貯留される。
第２の凝集槽６２には、排出口６２ａが設けられている。これにより、第２の凝集槽６２に貯留された液体が、第３の凝集槽６３に排出される。
【００５３】
第２の凝集槽６２は、ｐＨ調整剤供給手段６６を有している。ｐＨ調整剤供給手段６６は、第２の凝集槽６２にｐＨ調整剤を供給できる形態であれば特に限定されない。
ｐＨ調整剤供給手段６６で用いることができるｐＨ調整剤としては、特に限定されないが、苛性ソーダ等が例示される。
【００５４】
第３の凝集槽６３は、第２の凝集槽６２から排出された液体と、凝集助剤とを混合し、金属セレン等を含有する凝集体の粗大化を促進する槽である。これにより後述する沈殿槽６４において、上記凝集体が沈殿しやすくなる。
第３の凝集槽６３は、第２の凝集槽６２と隣接するとともに、第２の凝集槽６２の後段に設けられている。これにより、第３の凝集槽６３には、第２の凝集槽６２から排出された液体が貯留される。
第３の凝集槽６３には、排出口６３ａが設けられている。これにより、上記液体、及び上記凝集体が、沈殿槽６４に排出される。
【００５５】
第３の凝集槽６３は、凝集助剤供給手段６７を有している。凝集助剤供給手段６７は、第３の凝集槽６３に凝集助剤を供給できる形態であれば特に限定されない。
凝集助剤としては、金属セレン等を含有する凝集体の粗大化を促進できる形態であれば、特に限定されない。凝集助剤としては、アニオン系高分子凝集剤、ノニオン系高分子凝集剤、及び両性高分子凝集剤等が例示される。
【００５６】
沈殿槽６４は、第３の凝集槽６３から排出された液体から、金属セレン等を含有する凝集体を汚泥として沈殿させる槽である。上記凝集体を沈殿させることにより、上記液体から金属セレンを分離できる。
沈殿槽６４は、第３の凝集槽６３と隣接するとともに、第３の凝集槽６３の後段に設けられている。これにより、沈殿槽６４には、第３の凝集槽６３から排出された液体が貯留される。
【００５７】
沈殿槽６４の底部は、流路６８と接続されている。流路６８は、金属セレンを含有する沈殿等の凝集体を沈殿槽６４から排出する流路である。流路６８には、ポンプ６９が設けられている。これにより、金属セレン等を含有する凝集体が沈殿槽６４の底部に沈殿しやすくなる。そのため、沈殿槽６４が沈殿槽６４内の貯留液から上記凝集体を分離できる。
【００５８】
沈殿槽６４は、流路７２に接続されている。流路７２は、沈殿槽６４から処理水貯槽７１に、沈殿槽６４の上澄み液を処理水として、供給する流路である。これにより、沈殿槽６４の上澄み液が、処理水貯槽７１に排出される。
処理水貯槽７１は、排水処理システム１により処理された処理水を貯留する槽である。処理水貯槽７１は、流路７２に接続されている。これにより、処理水貯槽７１に、処理水が貯留される。
【００５９】
＜第１の実施形態＞
以下、上述した排水処理システム１を用いた、本発明の第１の実施形態の排水処理方法を説明する。
【００６０】
本実施形態の排水処理方法は、セレンを含有する排水の処理方法である。本実施形態の排水処理方法は、前処理工程と、生物処理工程と、分離工程と、凝集沈殿工程とを有する。
【００６１】
（前処理工程）
本実施形態の排水処理方法では、前処理工程を行うことが好ましい。前処理工程では、前処理部２において、生物処理工程を行うための前段の処理を行う。まず、前処理工程では、図示略の工業施設から排出された、セレンを含有する排水が流路１２を経て、原水貯槽１１に供給される。次に、原水貯槽１１に貯留された排水は、流路１３を経て、滅菌器２１に供給される。
滅菌器２１では、排水を滅菌する滅菌処理が行われる。これにより、後段の生物処理工程の処理効率が低下しにくくなる。
【００６２】
滅菌器２１で滅菌された排水は、流路２２を経て濾過器２３に供給される。
濾過器２３では、排水中の不純物を除去する前濾過処理が行われる。これにより、後段の分離工程の際に、分離膜モジュール３２が備える分離膜の閉塞等を低減しやすくなる。
濾過器２３で前濾過処理が施された排水は、流路２２を経てｐＨ調整槽２４に供給される。ｐＨ調整槽２４では、排水にｐＨ調整剤を供給する処理が行われる。
【００６３】
ｐＨ調整槽２４でｐＨ調整剤が供給された排水は、排出口２４ａから調整水貯槽２５に排出される。調整水貯槽２５に貯留された排水は、生物処理に適したｐＨに調整される。本実施形態においては、上記排水のｐＨを、６.０〜９.５に調整することが好ましい。
調整水貯槽２５でｐＨが調整された排水は、流路２７を経て生物処理槽３１に供給される。
【００６４】
（生物処理工程）
生物処理工程では、生物処理槽３１において、６価のセレンを４価のセレンに還元する微生物を用いて、排水を処理する。
生物処理槽３１においては、生物処理槽３１内の貯留液に対して、散気管４１から嫌気性ガスを導入し、上記微生物に嫌気性ガスを供給しながら生物処理工程を行うことができる。これにより、生物処理槽３１内が嫌気条件に維持されるとともに、上記微生物によって、排水中の６価のセレンが４価のセレンに還元されやすくなる。
【００６５】
生物処理工程では、排水中の６価のセレンを４価のセレンに還元することが好ましく、６価のセレンのみを４価のセレンにのみ還元することがより好ましい。これにより、本実施形態の排水処理方法の処理効率が著しく向上する。
なお、生物処理工程では、本発明の効果を損なわない範囲で、６価のセレン、又は４価のセレンを０価のセレンに一部還元してもよい。
【００６６】
本実施形態においては、６価のセレンを４価のセレンに還元する微生物として、第１の微生物を用いることが好ましく、上述したＳｅ７−１株の菌体を用いることがより好ましい。上記微生物として第１の微生物を用いる場合、第１の微生物を分散菌の形態で用いることが好ましい。この場合においては、生物処理槽３１内の貯留液中の菌体数を２×１０８〜１×１０９ｃｅｌｌ／ｍＬとすることが好ましい。
【００６７】
本実施形態においては、ガス供給源４２から、嫌気性ガスを生物処理槽３１内に供給できる。これにより、生物処理槽３１内の気相の圧力を調整できる。よって、生物処理工程の際に、硫化水素等のガスが生物処理槽３１内の気相で発生しても、ガス供給源４２から嫌気性ガスを生物処理槽３１内に供給することにより、生物処理槽３１内の硫化水素を含むガスの一部をガス排気管４６から大気中に排気できる。
【００６８】
本実施形態においては、生物処理工程で、排水に酸を供給できる。これにより、生物処理槽３１内の貯留液に水素供与体を供給でき、上記微生物による還元反応が進行しやすくなる。
生物処理工程を行う時間は、２〜４時間とすることが好ましい。これにより、６価のセレンを４価のセレンに充分に還元でき、沈殿槽６４内における金属セレンの析出量を増加させることができる。
【００６９】
本実施形態においては、生物処理槽３１内の貯留液のｐＨを、６.５〜９.０とすることが好ましく、７．０程度とすることがより好ましい。これにより、上記微生物による還元反応が進行しやすくなる。
本実施形態においては、生物処理槽３１内の貯留液の温度を、２５〜４０℃とすることが好ましく、３３〜３７℃程度とすることがより好ましい。これにより、上記微生物による還元反応が進行しやすくなる。
【００７０】
（分離工程）
上述した生物処理工程を施された排水には、主に４価のセレンが含まれており、一部、６価のセレンと、０価のセレンが含まれている。そこで、分離工程では、生物処理槽３１において、生物処理工程後の生物処理水を、４価のセレンを溶解する溶解液と、上記微生物と、に分離する。
【００７１】
生物処理槽３１においては、ポンプ３６を作動させて分離膜モジュール３２を用いることにより、４価のセレンを溶解する溶解液と、上記微生物とを分離できる。この際、散気管４１から嫌気性ガスを散気し、分離膜モジュール３２に導入することによって、分離膜モジュール３２の分離膜（例えば中空糸膜等）の表面を洗浄しながら、効率よく分離を行うことができる。
【００７２】
本実施形態で上記微生物が嫌気性微生物である場合においては、散気管４１から嫌気性ガスを散気しながら分離工程を行うことができる。これにより、生物処理槽３１の液相内を嫌気性条件とすることができ、上記微生物による生物処理工程の効率を高めることができる。
散気管４１から散気したガスは、生物処理槽３１の液相から気相に移行する。この際、ブロアー４５を作動させ、生物処理槽３１の気相のガスを、ガス循環管４４に回収できる。これにより、回収した上記ガスを、ガス導入管４３を経由して、散気管４１に再導入し、再利用できる。このように、生物処理槽３１の気相と、生物処理槽３１の液相との間でガスを循環させることにより、ガス供給源４２から導入される嫌気性ガスの使用量を減らし、上記嫌気性ガスを無駄なく効率的に利用できる。
【００７３】
（凝集沈殿工程）
本実施形態の排水処理方法では、凝集沈殿工程を行うことが好ましい。
凝集沈殿工程では、化学処理部４において、４価のセレンを溶解する溶解液と、凝集剤とを混合して、上記溶解液から上記４価のセレンを析出させて沈殿除去する。
分離膜モジュール３２で分離された生物処理水は、流路３５を経て生物処理水貯槽５１に供給され、一時的に生物処理水貯槽５１に貯留される。上記生物処理水には、４価のセレンが主に含まれている。なお、本発明の効果を損なわない範囲であれば、６価のセレンを含んでいてもよい。
【００７４】
生物処理水貯槽５１内の生物処理水は、一部が流路５２を経て第１の凝集槽６１に供給され、凝集剤供給手段６５から供給された凝集剤と混合される。これにより、生物処理水中の４価のセレン（、又は６価のセレン）が、金属セレン又は難溶性塩として析出する。
【００７５】
第１の凝集槽６１で凝集剤と混合された生物処理水は、その後、第２の凝集槽６２でｐＨが調整され、第３の凝集槽６３で金属セレン又は難溶性塩を含有する凝集体の粗大化が促進され、沈殿槽６４に排出される。
沈殿槽６４では、金属セレン又は難溶性塩を含有する沈殿物（汚泥）が重力沈降によって沈殿槽６４の底部に沈殿することで、金属セレンと上澄み液とが分離され、セレンが除去される。
沈殿槽６４で分離された上澄み液は、流路７２を経て処理水貯槽７１に貯留される。
【００７６】
以上説明した第１の実施形態によれば、６価のセレンを４価のセレンに還元する微生物を用いて、排水を処理する生物処理工程を有しているため、生物処理槽３１における金属セレンの沈殿の発生を大幅に抑制できる。そのため、処理前の排水に含有されるセレンの大部分が、凝集沈殿工程を行う槽で金属セレン又は難溶性塩として沈殿する。よって、複数の異なる処理槽で別々にセレンを含有する沈殿物を処理する必要がなく、凝集沈殿工程を行う槽で発生した沈殿物を集中的に処理して廃棄するだけで済む。したがって、本実施形態の排水処理方法によれば、排水中のセレンを簡便に除去できる。
また、第１の実施形態によれば、上記生物処理工程を行った後に、凝集沈殿工程を行うため、セレンを多く含有する排水でも凝集剤の使用量を増やすことなく、セレンの濃度を排水基準値未満に処理できる。
【００７７】
また、第１の実施形態においては、ガス排気管４６から大気中に生物処理槽３１内の気相のガスの一部を排気できるため、生物処理工程に起因して硫化水素等のガスが生物処理槽３１内で発生しても、これらのガスの充満を低減できる。
【００７８】
＜第２の実施形態＞
次に、上述した排水処理システム１を用いた、本発明の第２の実施形態の排水処理方法を説明する。
第２の実施形態の排水処理方法においては、上述した第１の実施形態の排水処理方法の分離工程が、分離膜モジュール３２を用いて分離を行う運転ステップと、分離膜モジュール３２による分離を停止する停止ステップと、を含む。第２の実施形態の排水処理方法は、分離工程が運転ステップと、停止ステップとを含む点において異なり、これ以外は、第１の実施形態の排水処理方法と同様である。
【００７９】
図１に示す排水処理システム１では、生物処理水貯槽５１に貯留された生物処理水の一部を、逆洗流路５４、及び流路３５を介して、分離膜モジュール３２の逆洗用として供給できる。よって、上記停止ステップで、分離膜モジュール３２が備える分離膜を４価のセレンを溶解する溶解液である生物処理水で逆洗できる。
【００８０】
本実施形態の排水処理方法においては、第１の実施形態の排水処理方法と同様の作用効果が得られるほか、分離膜モジュール３２が備える分離膜の閉塞などを効果的に解消できる。そのため、上記停止ステップを行った後に、分離膜モジュール３２を用いて分離を行う運転ステップを行うことで、分離工程における分離効率が低下しにくく、セレンを含有する排水を効率的に処理できる。
【００８１】
以上、本発明のいくつかの実施の形態を説明したが、本発明はかかる特定の実施の形態に限定されない。また、本発明は特許請求の範囲に記載された本発明の要旨の範囲内で、構成の付加、省略、置換、及びその他の変更が加えられてよい。
例えば、上述した排水処理システム１は、前処理部２を備える構成であるが、前処理部２を備えない構成としてもよい。同様に、上述した実施形態例における排水処理方法では、前処理工程を行っているが、前処理工程を行わずに、セレンを含有する排水に対して、生物処理工程を行ってもよい。
【実施例】
【００８２】
以下、本発明を実施例によりさらに詳細に説明するが、本発明はこれに限定されるものではない。
【００８３】
本実施例においては、セレンを含有する排水を、排水処理システム１を使用して、実施形態例に示した処理方法により処理した。
本実施例におけるセレンを含有する排水としては、石炭火力発電所の排水を用いた。
【００８４】
（実施例１）
石炭火力発電所の排水に、セレン酸を添加し、セレン濃度を０．５〜２ｍｇＳｅ／Ｌとし、乳酸を添加し、乳酸の濃度を１００ｍｇ／Ｌに調整した。
６価のセレンを４価のセレンに還元する微生物として、タウエラ・エスピー（Ｔｈａｕｅｒａ  ｓｐ．）ＪＰＣＣ  Ｓｅ７−１株（ＮＩＴＥ  Ｐ−１４６５）を用いた。ｐＨ７．０、ＨＲＴ４．０ｈ、水温３３℃の条件下で生物処理工程を行った。
【００８５】
分離工程は、孔径０．０５μｍの中空糸膜（三菱ケミカル社製）を備える分離膜モジュールを用い、ＬＶ７５ｍ／ｈの条件下で窒素曝気をしながら行った。
分離工程後の生物処理水を撹拌しながら、第１の凝集槽６１でポリ硫酸第二鉄（タイキ薬品社製）を５０ｍｇ−Ｆｅ／Ｌ添加し、第２の凝集槽６２でｐＨ７．０に調整し、第３の凝集槽６３で高分子凝集剤ダイヤフロックＡＰ１２０Ｃ（三菱ケミカル社製）を１ｍｇ／Ｌ添加した。その後、沈殿槽６４で沈降分離を行い、処理水貯槽７１に処理水を得た。処理水のセレン濃度を測定した結果、０．００５ｍｇ／Ｌ未満であった。
また、実施例１で得られた処理水中のセレン濃度の経時的変化を図２に示す。
【００８６】
（比較例１〜３）
上記生物処理工程と、上記分離工程とを行わずに、表１に示すように凝集剤の濃度を変更した以外は実施例１と同様にしてセレンを含有する排水の処理を行った。得られた処理水中のセレン濃度を測定し、その結果を表１に示す。
【００８７】
【表１】
2019042714.tif 000002
【００８８】
図２中、横軸に平行な点線は、セレンの排水基準である０．１ｍｇ／Ｌを示している。また、図２中、「Ｔ−Ｓｅ」は、処理水中の全セレン濃度を示し、「ＳｅＯ４（６価）」は、処理水中の６価のセレンの濃度を示し、「ＳｅＯ３（４価）」は、処理水中の４価のセレンの濃度を示している。実施例１の処理水中のセレン濃度は、図２に示す試験時間において、金属セレン、６価のセレン、及び４価のセレンのいずれについても、排水基準値未満であった。
表１に示すように、実施例１では、生物処理工程を行ったうえで、凝集剤の濃度を５０ｍｇ−Ｆｅ／Ｌとすることで、セレン濃度が０．００５ｍｇ／Ｌ未満である処理水が得られた。これに対して、生物処理工程を行わない比較例１〜３では、凝集剤の濃度を５０ｍｇ−Ｆｅ／Ｌ以上に増やしても、処理水中のセレン濃度を排水基準である０．１ｍｇ／Ｌ未満にできなかった。
以上、実施例で説明したように、本実施例の排水処理方法では、凝集剤を多量に使用せずに、処理後の排水のセレン濃度を排水基準の０．１ｍｇ／Ｌ未満にできる。即ち、セレンを多く含有する排水でも凝集剤の使用量を増やすことなく、排水基準の０．１ｍｇ／Ｌ未満に処理できる。
【符号の説明】
【００８９】
１…水処理システム、１１…原水貯槽、２１…滅菌器、２３…濾過器、２４…ｐＨ調整槽、２５…調整水貯槽、３１…生物処理槽、５１…生物処理水貯槽、６１…第１の凝集槽、６２…第２の凝集槽、６３…第３の凝集槽、６４…沈殿槽、７１…処理水貯槽
【図１】
2019042714.tif 000003
【図２】
2019042714.tif 000004